(57)【要約】【課題】被験者は椅子部に座り易く、下肢を保持部に装着し易く、確実に固定できる筋力トレーニング装置を提供すること。【解決手段】被験者が座る椅子部（２）と、被験者下肢を支持するアーム（３）と、被験者下肢を受け止めアーム（３）に移動可能に支持される膝受パッド（４）と、膝受パッド（４）の移動に対して抵抗を負荷する負荷機構（５）とからなり、膝受パッド（４）は載置部（１４）と押当部（１５）とからなり、押当部（１５）は倒伏移動が可能なものであり、膝受パッド（４）は、載置部（１４）の両側に、被験者の下肢側部に当てがわれる左・右押当部（１５ａ）・（１５ｂ）が立設されて略Ｕ字形をなすＵ字形膝受パッド（１７）である筋力トレーニング装置である。【選択図】      図１
2005342398.tif 000002
【特許請求の範囲】
【請求項１】
被験者が座る椅子部２と、被験者下肢を移動可能に支持するアーム３と、被験者下肢を受け止めアーム３に支持される膝受パッド４と、膝受パッド４の移動に対して抵抗を負荷する負荷機構５とを有する筋力トレーニング装置において、前記膝受パッド４は、被験者下肢を支持する載置部１４と、被験者下肢の側部に当接する押当部１５とからなり、押当部１５は倒伏移動が可能なものであることを特徴とする筋力トレーニング装置。
【請求項２】
膝受パッド４は、載置部１４の両側に、被験者の下肢側部に当てがわれる左・右押当部１５ａ・１５ｂが立設されて略Ｕ字形をなすＵ字形膝受パッド１７であり、前記左・右押当部１５ａ・１５ｂは押当部軸１８を中心にして前方向又は後方向に倒伏できることを特徴とする請求項１記載の筋力トレーニング装置。
【請求項３】
膝受パッド４は、載置部１４の両側に、被験者の下肢側部に当てがわれる左・右押当部１５ａ・１５ｂが立設されて略Ｕ字形をなすＵ字形膝受パッド１７であり、Ｕ字形膝受パッド１７は椅子部２の前部に二個並設され当該左・右Ｕ字形膝受パッド１７ａ・１７ｂのそれぞれの椅子部２中央側の右押当部１５ｂ・左押当部１５ａは押当部軸１８を中心にして前方向又は後方向に倒伏できることを特徴とする請求項１記載の筋力トレーニング装置。
【請求項４】
膝受パッド４は、水平位置にある載置部１４の左右方向の一側に、押当部１５が立設されて略Ｌ字形をなすＬ字形膝受パッド２８であり、Ｌ字形膝受パッド２８が、アーム３上に左方向又は右方向に９０度回動可能に支持され、載置部１４に被験者下肢を載せた侭、押当部１５を水平位置に変え載置部１４を垂直位置に変えることができることを特徴とする請求項１記載の筋力トレーニング装置。
【請求項５】
膝受パッド４は、載置部１４の中央に立設された支柱３２の頂部に、押当部１５の左右幅方向の中央部が中央軸３３で軸支されてなる交互型膝受パッド３１であり、前記押当部１５は中央軸３３で支えられて垂直方向に回動・固定が可能であり、載置部１４に被験者下肢を載せた後、押当部１５を、中央軸３３を中心に左側又は右側に倒し垂直状態に変え被験者の下肢側面に当てることを特徴とする請求項１記載の筋力トレーニング装置。
【発明の詳細な説明】
【技術分野】
【０００１】
本発明は、股関節の内転外転運動を行なう筋力トレーニング装置に関するものである。
【背景技術】
【０００２】
従来、他動的に下肢を内転、外転させる装置では、下肢を保持する保持具を保持板と保持ベルトとで構成していた。
【０００３】
前記従来のものでは、下肢を保持板に装着するためのベルト操作に手数が掛かり、又、保持板に下肢をベルトで止めるため、確実に固定し難い、等の不都合があった。
【特許文献１】特開平１０−２５８１０２号公報
【発明の開示】
【発明が解決しようとする課題】
【０００４】
解決しようとする問題点は、下肢を保持部に装着する作業に手数が掛かり、又、確実に固定し難いという点である。
【課題を解決するための手段】
【０００５】
本発明の目的は、被験者は椅子部に座り易く、下肢を保持部に装着し易く、確実に下肢を捕らえることができる筋力トレーニング装置を提供することにある。
即ち本発明は、被験者が座る椅子部２と、被験者下肢を移動可能に支持するアーム３と、被験者下肢を受け止めアーム３に支持される膝受パッド４と、膝受パッド４の移動に対して抵抗を負荷する負荷機構５とからなり、前記膝受パッド４は、被験者下肢を支持する載置部１４と、被験者下肢の側部に当接する押当部１５とからなり、押当部１５は倒伏移動が可能なものであることを特徴とする筋力トレーニング装置である。
又、膝受パッド４は、載置部１４の両側に、被験者の下肢側部に当てがわれる左・右押当部１５ａ・１５ｂが立設されて略Ｕ字形をなすＵ字形膝受パッド１７であり、前記左・右押当部１５ａ・１５ｂは押当部軸１８を中心にして前方向又は後方向に倒伏できる。
或いは、Ｕ字形膝受パッド１７は椅子部２の前部に二個並設され当該左・右Ｕ字形膝受パッド１７ａ・１７ｂのそれぞれの椅子部２中央側の右押当部１５ｂ・左押当部１５ａは押当部軸１８を中心にして前方向又は後方向に倒伏できる。
更に、膝受パッド４は、水平位置にある載置部１４の左右方向の一側に、被験者の下肢側部に当てがわれる押当部１５が立設されて略Ｌ字形をなすＬ字形膝受パッド２８であり、Ｌ字形膝受パッド２８が、アーム３上に左方向又は右方向に９０度回動可能に支持され、載置部１４に被験者下肢を載せた侭、押当部１５を水平位置に変え載置部１４を垂直位置に変えることができる。
更に又、膝受パッド４は、載置部１４の中央に立設された支柱３２の頂部に、押当部１５の左右幅方向の中央部が中央軸３３で軸支されてなる交互型膝受パッド３１であり、前記押当部１５は中央軸３３で支えられて垂直面方向に回動・固定が可能であり、載置部１４に被験者下肢を載せた後、押当部１５を、中央軸３３を中心に左側又は右側に倒し垂直状態に変え被験者の下肢側面に当てる。
【発明の効果】
【０００６】
本発明に係る膝受パッド４は、載置部１４と押当部１５とからなり、押当部１５は倒伏移動が可能なものであるから、椅子部２へ被験者が乗り降りする時、押当部１５を倒しておけば乗り降りし易く、運動に際しては押当部１５に確実に被験者下肢を捉えることができ、高齢者などが安全に使用することができ、好都合である。
【０００７】
本発明に係る膝受パッド４は、載置部１４の両側に、左・右押当部１５ａ・１５ｂが立設されて略Ｕ字形をなすＵ字形膝受パッド１７であり、前記押当部１５ａ、１５ｂは押当部軸１８を中心にして前方向又は後方向に倒れるから、左・右押当部１５ａ・１５ｂを一度立てたら下肢の内転と外転のいずれの運動にも使用でき、操作手数が掛からず、好都合である。
【０００８】
本発明に係るＵ字形膝受パッド１７は、椅子部２の前部に二個並設され当該左・右Ｕ字形膝受パッド１７ａ・１７ｂのそれぞれの椅子部２中央側の右押当部１５ｂ・左押当部１５ａは押当部軸１８を中心にして前方向又は後方向に倒伏できるから、椅子部への乗降時に、中央側の右押当部１５ｂ・左押当部１５ａを倒伏しておけば、椅子部２の中央部に突起物が無いから椅子部２の前方中央からの乗降が容易であり、好都合である。
【０００９】
本発明は、Ｌ字形膝受パッド２８が、アーム３にＬ字形用軸２９で軸支され、Ｌ字形膝受パッド２８は左方向又は右方向に９０度回動可能であり、載置部１４に下肢を載せた侭、適宜押当部１５を９０度回動できるから、Ｌ字形膝受パッド２８を左方向へ又は右方向へ倒すことができて乗降し易く、構成が簡素であり、又、セッティング操作が簡単であり、好都合である。
【００１０】
本発明に係る押当部１５は、中央軸３３を中心に左側又は右側に倒すことが可能であり、載置部１４に被験者下肢を載せた後、押当部１５を、左側又は右側に倒し被験者下肢の側面に当てることができる。押当部１５を水平状態にしておけば被験者は乗り降りし易く、又、運動に際しては、下肢を動かす方向へ倒した押当部１５で下肢の押圧力を受けることができ、又、構成を簡素に製作でき、好都合である。
【発明を実施するための最良の形態】
【００１１】
本発明の椅子部２に乗り降りし易く、下肢を膝受パッド４にセッティングする作業が簡単容易に行なえる筋力トレーニング装置を提供するという目的を、倒伏可能な押当部１５が設けられた膝受パッド４を有する筋力トレーニング装置で実現した。前記膝受パッド４は載置部１４と押当部１５とからなっている。
【００１２】
膝受パッド４を、被験者下肢の側部に当てがわれる左右押当部１５ａ、１５ｂが載置部１４の両側に立設されて略Ｕ字形をなすＵ字形膝受パッド１７とし、前記左右押当部１５ａ、１５ｂは押当部軸１８を中心にして前方向又は後方向に倒れるものとした。
【００１３】
或いは、Ｕ字形膝受パッド１７を椅子部２の前部に二個並設し、当該左・右Ｕ字形膝受パッド１７ａ・１７ｂのそれぞれの椅子部２中央側の右押当部１５ｂ・左押当部１５ａは押当部軸１８を中心にして前方向又は後方向に倒伏できるものとした。
【００１４】
又、Ｌ字形膝受パッド２８が、アーム３にＬ字形用軸２９で軸支され、Ｌ字形膝受パッド２８は垂直面方向にあって左方向又は右方向に９０度回動可能であり、載置部１４に下肢を載せた侭、適宜押当部１５を９０度回動できるものとした。
【００１５】
押当部１５は中央軸３３を中心に左側又は右側に倒すことが可能であり、載置部１４に被験者下肢を載せた後、押当部１５を、左側又は右側に倒し被験者の下肢側部に当てるものとした。
【実施例１】
【００１６】
図１乃至４に示す筋力トレーニング装置１を用いて、被験者は下肢を開閉して、股関節の内転、外転運動を行う。筋力トレーニング装置１は、被験者が座る椅子部２と、被験者下肢を移動可能に支持するアーム３と、被験者下肢を受け止めアーム３に支持される膝受パッド４と、膝受パッド４の移動に対して抵抗を負荷する負荷機構５とからなる。
【００１７】
図１に示す椅子部２は、被験者が座るものであって、基枠６と、脚枠７と、座部８と、背凭れ９と、取っ手１０とからなる。
【００１８】
アーム３は、水平に前後方向に延設され座部８の下位置に設けられるアーム部１１と、該アーム部１１の基部が取着され座部８の下位置に垂直方向に設けられるアーム支軸１２（＝左・右アーム支軸１２ａ・１２ｂ）とからなる。アーム部１１には、膝受パッド４の取付具１３が取り付け位置可変に取り付けられる。
【００１９】
図４に示す膝受パッド４は、載置部１４と、押当部１５と、載置部１４を支持する取付具１３と、下肢受１６とからなる。押当部１５は前方向へ倒伏移動が可能なものである。
実施例１の膝受パッド４はＵ字形膝受パッド１７であり、載置部１４の両側に、被験者大腿の側部に当てがわれる左・右押当部１５ａ、１５ｂが立設されて略Ｕ字形をなす。
【００２０】
前記押当部１５ａ、１５ｂは、取付具１３に取着された押当具軸１８を中心にして前方向（＝腰掛けた被験者の大腿から膝に向かう方向）又は後方向（＝被験者の大腿から大腿付け根に向かう方向）に倒れる。押当部１５は押当部軸１８に取着された押当部腕３６で支持される。
【００２１】
押当部１５を起立状態に固定する固定具１９が押当部腕３６に設けられる。固定具１９は、取付具１３に開設された掛止穴２０に嵌入するピン２１と、ピン２１を掛止穴２０に入出させるノブ２２とからなる。下肢受１６は、アーム部１１の前端部に取り付け位置可変に取り付けられ、下肢（通常は下腿）を支持するものである。
【００２２】
負荷機構５は、アーム３を支える左・右アーム支軸１２a・１２ｂと、左・右アーム支軸１２a・１２ｂに繋がる左・右プーリー２４ａ・２４ｂと、左アーム支軸１２aの下部に設けられる負荷プーリー３７と、負荷プーリー３７と重錘機構２５とを繋ぐ索体２６とからなる。重錘機構２５は、索体２６に引き上げ・戻されて上・下に移動する複数個の錘２７と、錘２７を収納する収納枠２３とからなる。索体２６の基端は負荷プーリー３７に止着される。尚、左プーリー２４ａと右プーリー２４ｂには回転方向が相互に逆方向になるよう交差状に図示しない紐が巻回されており、アーム３の回動によりアーム支軸１２とプーリー２４と負荷プーリー３７とが連動して回動する。
【００２３】
重錘機構２５は、背凭れ９の後方に立設され、基枠６に連結固定される。膝受パッド４が左右に動くと、アーム３が左右に円弧状に動き、負荷プーリー３７が回動し、索体２６が往復移動し、重錘機構２５の錘２７が上下に移動する。
【００２４】
実施例１を使用する際は、先ず、押当部１５が、被験者の腰掛け動作の邪魔にならないように該押当部１５を前方に倒して起立状態から垂下状態に変更して、被験者が座部８に腰掛ける。
【００２５】
起立状態にある押当部１５を前方に倒す操作は、固定具１９を引き、ピン２１を掛止穴２０から抜く。次に、押当部軸１８を中心に押当部１５を回動させ、垂下状態にする。
【００２６】
次に、被験者が腰掛ける。被験者が腰掛けた後、押当部１５を回わして起立状態になし、被験者の大腿部の両側に押当部１５を当てがう。固定具１９であるノブ２２を押し、ピン２１を掛止穴２０に嵌入させ押当部１５を当該起立状態に固定する。
【００２７】
上記セッティングをした後、被験者は、大腿を開く方向に力を入れて大腿を開き、股関節の外転運動をする。外転運動時に、Ｕ字形膝受パッド１７を、椅子部２の中央から外方向へ動かし、戻す。
【００２８】
又、同セッティングで、被験者は、大腿を閉める方向に力を入れて大腿を閉め、股関節の内転運動をする。内転運動時に、Ｕ字形膝受パッド１７を、椅子部２の外方から中央方向へ動かし、戻す。これらのＵ字形膝受パッド１７の左右への動きは、アーム３、プーリー２４、索体２６を経由して、錘２７を上昇させ、Ｕ字形膝受パッド１７の動きに対して、重力抵抗が付与される。
【００２９】
錘２７は複数個設けられている。錘２７の連結個数を増やし、上昇個数を増せば、重力抵抗は大きくなる。又、錘２７の連結個数を減らし、上昇個数を減らせば、重力抵抗は小さくなる。錘２７の連結個数を増減して、重力抵抗の大きさを適宜変更し、重量抵抗を調節する。
【００３０】
被験者が、運動を終了し椅子部２から降りる際には、介助者は、固定具１９のノブ２２を引いて押当部１５の起立状態への固定を解除し、押当部１５が降り動作の邪魔にならないように該押当部１５を、前方に倒しながら回動し、垂下位置にし、その後、被験者は座部８から降りる。
【実施例２】
【００３１】
図５に示す実施例２は、実施例１の並設した左・右Ｕ字形膝受パッド１７ａ・１７ｂに付いて、左Ｕ字形膝受パッド１７ａの右押当部１５ｂと右Ｕ字形膝受パッド１７ｂの左押当部１５ａのみを倒伏できるものに代えたものである。左Ｕ字形膝受パッド１７ａの左押当部１５ａ及び右Ｕ字形膝受パッド１７ｂの右押当部１５ｂは常時固定状態にあり倒伏不能である。
【００３２】
起立状態にある左Ｕ字形膝受パッド１７ａの右押当部１５ｂと右Ｕ字形膝受パッド１７ｂの左押当部１５ａを倒す時は、それぞれの固定具１９を引き、ピン２１を掛止穴２０から抜き、右押当部１５ｂ又は左押当部１５ａを持って倒伏させ垂下状態になす。又、垂下状態にある前記右押当部１５ｂと左押当部１５ａを起立状態に変更する時は、固定具１９を引きピン２１を引退位置にしておいて右押当部１５ｂと左押当部１５ａを持って起立状態に持って行き、固定具１９を押しピン２１を掛止穴２０に嵌め込み右押当部１５ｂ及び左押当部１５ａを起立状態に固定する。
【実施例３】
【００３３】
図６に示す実施例３は、実施例１のＵ字形膝受パッド１７をＬ字形膝受パッド２８に代えたものである。実施例２のＬ字形膝受パッド２８は、載置部１４の一側に、被験者の下肢側部に当てがわれる押当部１５が立設されてＬ字形をなす。
【００３４】
Ｌ字形膝受パッド２８の載置部１４と押当部１５が接合する角部が、取付具１３にＬ字形用軸２９で軸支される。載置部１４と押当部１５とは互いに同等形状に作られており、載置部１４と押当部１５は相互に相手の作用を担当する。Ｌ字形用軸２９を中心にしてＬ字形膝受パッド２８は左方向又は右方向に９０度回転可能である。Ｌ字形膝受パッド２８の固定はＬ字形用軸２９の前端に設けたＬ字形用ノブボルト３０を締めて行なう。
【００３５】
尚、Ｌ字形膝受パッド２８を支持する機構を、図７に示すように構成してもよい。図７に示すＬ字形膝受パッド２８を支持する機構は、Ｌ字形膝受パッド２８と取付具１３とを左右の取付片３５で軸支する構成である。Ｌ字形膝受パッド２８の固定は取付片３５の一方の軸端に設けたＬ字形用ノブボルト３０を締めて行なう。
【００３６】
使用する際は、当初、被験者が腰掛け易いように、起立状態にある押当部１５は椅子部２の外方部に存在し、載置部１４は椅子部２の内方部に存在する。大腿を外転させるときは、前記状態のＬ字形膝受パッド２８で行なう。
【００３７】
大腿を内転させるときは、Ｌ字形用軸２９の前端に螺着されたＬ字形用ノブボルト３０を緩め、Ｌ字形膝受パッド２８の起立状態にある押当部１５を、回動自在状態になし、次に、椅子部２の左右の載置部１４に左右の大腿を載せたまま、Ｌ字形膝受パッド２８を９０度回動させる。
【００３８】
大腿を閉じる方向に動かし、内転運動を行なう。大腿を動かす方向の大腿内側部に載置部１４を起立させ当てがう。大腿を閉じる方向に繰り返し動かし、股関節の内転運動をする。大腿で載置部１４を動かし、錘２７による抵抗を付与する。
【実施例４】
【００３９】
図８に示す実施例４は、実施例１のＵ字形膝受パッド１７を交互型膝受パッド３１に代えたものである。実施例３の交互型膝受パッド３１は、載置部１４の中央に立設された支柱３２の頂部に、押当部１５の左右幅方向の中央部が中央軸３３で軸支されてなる。
【００４０】
前記押当部１５は中央軸３３を中心に椅子部左側又は椅子部右側に倒すことが可能である。載置部１４に被験者下肢（＝通常は大腿）を載せた後、押当部１５を、左側又は右側に倒し、被験者の大腿側部に当てる。
【００４１】
使用の際の、当初は、被験者が椅子部２へ乗降し易いように、押当部１５を水平状態に固定している。外転運動をする時には、被験者は、椅子部に腰掛け載置部１４の、支柱３２より椅子部中央側（＝支柱３２の内側）に大腿を載せる。
【００４２】
交互型用ノブボルト３４を緩め、押当部１５を、回動自在状態にした後回動させ水平状態から垂直状態に変更し、然る後に、交互型用ノブボルト３４を締め押当部１５を垂直状態に固定する。被験者は、大腿側部を押当部１５に当て、交互型膝受パッド３１を椅子部２の外方向へ押し動かし、外転運動をする。
【００４３】
内転運動をする時には、被験者は、椅子部に腰掛け載置部１４の、支柱３２より椅子部外方側に大腿を載せる。交互型用ノブボルト３４を緩め、押当部１５を、回動自在状態にした後、支柱３２の外側に回動させ、水平状態から垂直状態に変更し、然る後に、交互型用ノブボルト３４を締め、押当部１５を垂直状態に固定する。被験者は、大腿側部を押当部１５に当て、交互型膝受パッド３１を椅子部２の中央方向へ押し動かし、内転運動をする。
【００４４】
運動を終了する時は、押当部１５を回動させ水平状態にもってきて、暫時固定する。次に、被験者は椅子部２から降りる。椅子部２への乗降時に、押当部１５を水平状態にしておけば被験者は椅子部２に乗降し易く好都合である。
【産業上の利用可能性】
【００４５】
本発明は、股関節の内転外転運動を行う筋力トレーニング装置に適用できる。
【図面の簡単な説明】
【００４６】
【図１】本発明の実施例１の筋力トレーニング装置を示す全体図である。
【図２】実施例１の椅子部及びＵ字形膝受パッドを示す正面図である。
【図３】実施例１の椅子部及びＵ字形膝受パッドを示す背面図である。
【図４】実施例１のＵ字形膝受パッドを示す模式的に示す部分図である。
【図５】実施例２のＵ字形膝受パッドを模式的に示す図である。
【図６】実施例３のＬ字形膝受パッドを模式的に示す図である。
【図７】実施例３のＬ字形膝受パッドを支持する機構の他の例を示す図である。
【図８】実施例４の交互型膝受パッドを模式的に示す図である。
【符号の説明】
【００４７】
１    筋力トレーニング装置
２    椅子部
３    アーム
４    膝受パッド
５    負荷機構
１４    載置部
１５    押当部
１５ａ  左押当部
１５ｂ  右押当部
１７    Ｕ字形膝受パッド
１８    押当部軸
２８    Ｌ字形膝受パッド
３１    交互型膝受パッド
３２    支柱
３３    中央軸
【図１】
2005342398.tif 000003
【図２】
2005342398.tif 000004
【図３】
2005342398.tif 000005
【図４】
2005342398.tif 000006
【図５】
2005342398.tif 000007
【図６】
2005342398.tif 000008
【図７】
2005342398.tif 000009
【図８】
2005342398.tif 000010